(57)【要約】【課題】各記録媒体を容易に区別する。【解決手段】ディスク３０に固有情報が記録されていない場合に、ディスク３０に対応する固有情報を生成し、生成された固有情報を表示部１０３の表示画面上に表示する。あるいは、インクジェットプリンタ１０７により、固有情報を印刷する。【選択図】図１
2005203069.tif 000002
【特許請求の範囲】
【請求項１】
対象記録媒体に対応する固有情報を生成する生成手段と、
前記生成された固有情報、及び／又は、少なくとも画像情報を含む特定記録情報を前記対象記録媒体に記録する記録手段と、
前記生成された固有情報を表示画面上に表示する表示手段と、
前記生成された固有情報を印刷する印刷手段と、
を備えたことを特徴とする情報記録システム。
【請求項２】
対象記録媒体に予め記録されている固有情報を取得する取得手段と、
少なくとも画像情報を含む特定記録情報を前記対象記録媒体に記録する記録手段と、
前記取得された固有情報を表示画面上に表示する表示手段と、
前記取得された固有情報を印刷する印刷手段と、
を備えたことを特徴とする情報記録システム。
【請求項３】
対象記録媒体に対応する固有情報を生成する生成手段と、
前記生成された固有情報、及び／又は、少なくとも画像情報を含む特定記録情報を前記対象記録媒体に記録する記録手段と、
前記生成された固有情報を表示画面上に表示する表示手段と、
前記固有情報が表示手段の表示画面上に表示されている間に、又は前記固有情報が表示手段の表示画面上に表示されるより時間的に前に、前記対象記録媒体を排出させる制御手段と、
を備えたことを特徴とする情報記録システム。
【請求項４】
対象記録媒体に予め記録されている固有情報を取得する取得手段と、
少なくとも画像情報を含む特定記録情報を前記対象記録媒体に記録する記録手段と、
前記取得された固有情報を表示画面上に表示する表示手段と、
前記固有情報が表示手段の表示画面上に表示されている間に、又は前記固有情報が表示手段の表示画面上に表示されるより時間的に前に、前記対象記録媒体を排出させる制御手段と、
を備えたことを特徴とする情報記録システム。
【請求項５】
コンピュータに、
対象記録媒体に対応する固有情報を生成する機能と、
前記生成された固有情報を表示手段の表示画面上に表示する機能と、
を実現させるためのプログラム。
【請求項６】
コンピュータに、
対象記録媒体に対応する固有情報を生成する機能と、
前記生成された固有情報を少なくとも画像情報を含む特定記録情報とともに前記対象記録媒体に記録する機能と、
前記生成された固有情報を表示手段の表示画面上に表示する機能と、
を実現させるためのプログラム。
【請求項７】
コンピュータに、
対象記録媒体に予め記録されている固有情報を取得する機能と、
少なくとも画像情報を含む特定記録情報を前記対象記録媒体に記録する機能と、
前記取得された固有情報を表示手段の表示画面上に表示する機能と、
を実現させるためのプログラム。
【請求項８】
コンピュータに、
対象記録媒体に予め記録されている固有情報及び少なくとも画像情報を含む特定記録情報を取得する機能と、
前記取得された固有情報を表示手段の表示画面上に表示する機能と、
を実現させるためのプログラム。
【請求項９】
請求項５〜８のいずれか一項に記載のプログラムにおいて、
前記コンピュータに、さらに、
前記固有情報が表示手段の表示画面上に表示されている間に、又は前記固有情報が表示手段の表示画面上に表示されるより時間的に前に、前記対象記録媒体を排出する機能を実現させることを特徴とするプログラム。
【請求項１０】
請求項５〜８のいずれか一項に記載のプログラムにおいて、
前記コンピュータに、さらに、
前記固有情報を印刷するか否かの指示入力を促す誘導案内情報を表示手段の表示画面上に表示する機能と、
前記指示入力に基づいて、前記固有情報を印刷手段により印刷する機能と、
を実現させることを特徴とするプログラム。
【請求項１１】
コンピュータに、
対象記録媒体に対応する固有情報を生成する機能と、
前記生成された固有情報を印刷手段により印刷する機能と、
を実現させるためのプログラム。
【請求項１２】
コンピュータに、
対象記録媒体に対応する固有情報を生成する機能と、
前記生成された固有情報を少なくとも画像情報を含む特定記録情報とともに前記対象記録媒体に記録する機能と、
前記生成された固有情報を印刷手段により印刷する機能と、
を実現させるためのプログラム。
【請求項１３】
コンピュータに、
対象記録媒体に予め記録されている固有情報を取得する機能と、
少なくとも画像情報を含む特定記録情報を前記対象記録媒体に記録する機能と、
前記取得された固有情報を印刷手段により印刷する機能と、
を実現させるためのプログラム。
【請求項１４】
コンピュータに、
対象記録媒体に予め記録されている固有情報及び少なくとも画像情報を含む特定記録情報を取得する機能と、
前記取得された固有情報を印刷手段により印刷する機能と、
を実現させるためのプログラム。
【請求項１５】
請求項１２〜１４のいずれか一項に記載のプログラムにおいて、
前記固有情報を印刷手段により印刷する機能において、前記固有情報と、前記特定記録情報の中の代表画像情報と、を予め定められた位置にレイアウトして印刷することを特徴とするプログラム。
【請求項１６】
請求項１１〜１４のいずれか一項に記載のプログラムにおいて、
前記固有情報を印刷手段により印刷する機能において、前記対象記録媒体の印刷面又はインデックスプリントに前記固有情報を印刷することを特徴とするプログラム。
【請求項１７】
請求項５〜１６のいずれか一項に記載のプログラムにおいて、
前記固有情報は、前記対象記録媒体固有のＩＤ番号、前記対象記録媒体に記録される少なくとも画像情報を含む特定記録情報の日付情報、又は、前記対象記録媒体のタイトル情報を含むことを特徴とするプログラム。
【発明の詳細な説明】
【技術分野】
【０００１】
本発明は、特定の情報を記録するための記録媒体に対して情報の読み書きを行う情報記録システム及びプログラムに関する。
【背景技術】
【０００２】
近年、デジタルカメラの普及に伴い、写真店やコンビニエンス・ストア等の店舗で、デジタルカメラで撮影した画像データを記録したデジタルカメラ用メディアから画像データを読み取り、その画像データをＣＤ−Ｒ（Compact Disc-Recordable）等の記録媒体に書き込んで電子アルバムを作成するサービスが行われるようになってきている。
【０００３】
また、画像データを書き込むＣＤ−Ｒ等の記録媒体に、パソコン（Personal Computer：パーソナルコンピュータ）等のコンピュータ機器に特定の機能を実現させるためのプログラムが書き込まれている場合もある。特定の機能として、例えば、画像データの編集・加工機能や、サウンドファイルを用いてＢＧＭ付きで画像ファイルをスライドショーとして再生する機能等がある。
【０００４】
また、可換記録媒体にその可換記録媒体固有の識別情報を記録し、可換記録媒体の管理を容易に行えるようにする技術が提案されている（例えば、特許文献１参照。）。
【特許文献１】特開平１１−２１３５４９号公報
【発明の開示】
【発明が解決しようとする課題】
【０００５】
しかし、電子アルバムとして所持する記録媒体の枚数が増えてくると、記録媒体の検索や管理が困難であった。特許文献１のように、記録媒体固有の識別情報が記録媒体に記録されているだけでは、ユーザにとって各記録媒体を区別することが困難であった。
【０００６】
本発明の課題は、各記録媒体を容易に区別することである。
【課題を解決するための手段】
【０００７】
請求項１に記載の発明は、情報記録システムにおいて、対象記録媒体に対応する固有情報を生成する生成手段と、前記生成された固有情報、及び／又は、少なくとも画像情報を含む特定記録情報を前記対象記録媒体に記録する記録手段と、前記生成された固有情報を表示画面上に表示する表示手段と、前記生成された固有情報を印刷する印刷手段と、を備えたことを特徴とする。
【０００８】
請求項２に記載の発明は、情報記録システムにおいて、対象記録媒体に予め記録されている固有情報を取得する取得手段と、少なくとも画像情報を含む特定記録情報を前記対象記録媒体に記録する記録手段と、前記取得された固有情報を表示画面上に表示する表示手段と、前記取得された固有情報を印刷する印刷手段と、を備えたことを特徴とする。
【０００９】
請求項３に記載の発明は、情報記録システムにおいて、対象記録媒体に対応する固有情報を生成する生成手段と、前記生成された固有情報、及び／又は、少なくとも画像情報を含む特定記録情報を前記対象記録媒体に記録する記録手段と、前記生成された固有情報を表示画面上に表示する表示手段と、前記固有情報が表示手段の表示画面上に表示されている間に、又は前記固有情報が表示手段の表示画面上に表示されるより時間的に前に、前記対象記録媒体を排出させる制御手段と、を備えたことを特徴とする。
【００１０】
請求項４に記載の発明は、情報記録システムにおいて、対象記録媒体に予め記録されている固有情報を取得する取得手段と、少なくとも画像情報を含む特定記録情報を前記対象記録媒体に記録する記録手段と、前記取得された固有情報を表示画面上に表示する表示手段と、前記固有情報が表示手段の表示画面上に表示されている間に、又は前記固有情報が表示手段の表示画面上に表示されるより時間的に前に、前記対象記録媒体を排出させる制御手段と、を備えたことを特徴とする。
【００１１】
請求項５に記載の発明は、コンピュータに、対象記録媒体に対応する固有情報を生成する機能と、前記生成された固有情報を表示手段の表示画面上に表示する機能と、を実現させるためのプログラムである。
【００１２】
ここで、コンピュータとは、バスで接続されたＣＰＵ（Central Processing Unit）、ＲＯＭ（Read Only Memory）、ＲＡＭ（Random Access Memory）及びＩ／Ｏを基本構成とする装置であって、マイクロコンピュータ、マイクロプロセッサ等を含み、その組み込み先装置の如何（例えば、パソコン、ＤＶＤ（Digital Versatile Disk）レコーダ、ＨＤＤ（Hard Disk Drive）レコーダ、ホームサーバー、ゲーム機、ポータブルＣＤ−Ｒライター、ＨＤＤナビゲーションシステム等）を問わない。したがって、本発明に係るプログラムは、上記コンピュータのＲＯＭに格納され、ＣＰＵの統括的制御下においてＲＡＭに展開され、実行に供されるものであるから、本発明のコンピュータプログラムの技術的範囲は、当該プログラムが搭載されたコンピュータの格納先の装置に及ぶものである（以下、同様）。
【００１３】
請求項６に記載の発明は、コンピュータに、対象記録媒体に対応する固有情報を生成する機能と、前記生成された固有情報を少なくとも画像情報を含む特定記録情報とともに前記対象記録媒体に記録する機能と、前記生成された固有情報を表示手段の表示画面上に表示する機能と、を実現させるためのプログラムである。
【００１４】
請求項７に記載の発明は、コンピュータに、対象記録媒体に予め記録されている固有情報を取得する機能と、少なくとも画像情報を含む特定記録情報を前記対象記録媒体に記録する機能と、前記取得された固有情報を表示手段の表示画面上に表示する機能と、を実現させるためのプログラムである。
【００１５】
請求項８に記載の発明は、コンピュータに、対象記録媒体に予め記録されている固有情報及び少なくとも画像情報を含む特定記録情報を取得する機能と、前記取得された固有情報を表示手段の表示画面上に表示する機能と、を実現させるためのプログラムである。
【００１６】
請求項９に記載の発明は、請求項５〜８のいずれか一項に記載のプログラムにおいて、前記コンピュータに、さらに、前記固有情報が表示手段の表示画面上に表示されている間に、又は前記固有情報が表示手段の表示画面上に表示されるより時間的に前に、前記対象記録媒体を排出する機能を実現させることを特徴とする。
【００１７】
請求項１０に記載の発明は、請求項５〜８のいずれか一項に記載のプログラムにおいて、前記コンピュータに、さらに、前記固有情報を印刷するか否かの指示入力を促す誘導案内情報を表示手段の表示画面上に表示する機能と、前記指示入力に基づいて、前記固有情報を印刷手段により印刷する機能と、を実現させることを特徴とする。
【００１８】
請求項１１に記載の発明は、コンピュータに、対象記録媒体に対応する固有情報を生成する機能と、前記生成された固有情報を印刷手段により印刷する機能と、を実現させるためのプログラムである。
【００１９】
請求項１２に記載の発明は、コンピュータに、対象記録媒体に対応する固有情報を生成する機能と、前記生成された固有情報を少なくとも画像情報を含む特定記録情報とともに前記対象記録媒体に記録する機能と、前記生成された固有情報を印刷手段により印刷する機能と、を実現させるためのプログラムである。
【００２０】
請求項１３に記載の発明は、コンピュータに、対象記録媒体に予め記録されている固有情報を取得する機能と、少なくとも画像情報を含む特定記録情報を前記対象記録媒体に記録する機能と、前記取得された固有情報を印刷手段により印刷する機能と、を実現させるためのプログラムである。
【００２１】
請求項１４に記載の発明は、コンピュータに、対象記録媒体に予め記録されている固有情報及び少なくとも画像情報を含む特定記録情報を取得する機能と、前記取得された固有情報を印刷手段により印刷する機能と、を実現させるためのプログラムである。
【００２２】
請求項１５に記載の発明は、請求項１２〜１４のいずれか一項に記載のプログラムにおいて、前記固有情報を印刷手段により印刷する機能において、前記固有情報と、前記特定記録情報の中の代表画像情報と、を予め定められた位置にレイアウトして印刷することを特徴とする。
【００２３】
請求項１６に記載の発明は、請求項１１〜１４のいずれか一項に記載のプログラムにおいて、前記固有情報を印刷手段により印刷する機能において、前記対象記録媒体の印刷面又はインデックスプリントに前記固有情報を印刷することを特徴とする。
【００２４】
請求項１７に記載の発明は、請求項５〜１６のいずれか一項に記載のプログラムにおいて、前記固有情報は、前記対象記録媒体固有のＩＤ番号、前記対象記録媒体に記録される少なくとも画像情報を含む特定記録情報の日付情報、又は、前記対象記録媒体のタイトル情報を含むことを特徴とする。
【発明の効果】
【００２５】
請求項１に記載の発明によれば、対象記録媒体に対応する固有情報を生成し、生成された固有情報を対象記録媒体に記録したり、表示手段の表示画面上に表示したり、印刷したりすることができる。したがって、ユーザは各記録媒体を容易に区別することができる。
【００２６】
請求項２に記載の発明によれば、対象記録媒体に予め記録されている固有情報を取得し、取得された固有情報を表示手段の表示画面上に表示したり、印刷したりすることができる。したがって、ユーザは各記録媒体を容易に区別することができる。
【００２７】
請求項３に記載の発明によれば、対象記録媒体に対応する固有情報を生成し、生成された固有情報を表示画面上に表示し、固有情報が表示手段の表示画面上に表示されている間に、又は固有情報が表示手段の表示画面上に表示されるより時間的に前に、対象記録媒体を排出することができる。したがって、ユーザは表示されている固有情報を見ながら、対象記録媒体に固有情報を記入することが可能となり、各記録媒体を容易に区別することができる。
【００２８】
請求項４に記載の発明によれば、対象記録媒体に予め記録されている固有情報を取得し、取得された固有情報を表示画面上に表示し、固有情報が表示手段の表示画面上に表示されている間に、又は固有情報が表示手段の表示画面上に表示されるより時間的に前に、対象記録媒体を排出することができる。したがって、ユーザは表示されている固有情報を見ながら、対象記録媒体に固有情報を記入することが可能となり、各記録媒体を容易に区別することができる。
【００２９】
請求項５に記載の発明によれば、対象記録媒体に対応する固有情報を生成し、生成された固有情報を表示手段の表示画面上に表示することができる。したがって、ユーザは各記録媒体を容易に区別することができる。
【００３０】
請求項６に記載の発明によれば、対象記録媒体に対応する固有情報を生成し、生成された固有情報を少なくとも画像情報を含む特定記録情報とともに対象記録媒体に記録し、生成された固有情報を表示手段の表示画面上に表示することができる。したがって、ユーザは各記録媒体を容易に区別することができる。
【００３１】
請求項７に記載の発明によれば、対象記録媒体に予め記録されている固有情報を取得し、少なくとも画像情報を含む特定記録情報を対象記録媒体に記録し、取得された固有情報を表示手段の表示画面上に表示することができる。したがって、ユーザは各記録媒体を容易に区別することができる。
【００３２】
請求項８に記載の発明によれば、対象記録媒体に予め記録されている固有情報及び少なくとも画像情報を含む特定記録情報を取得し、取得された固有情報を表示手段の表示画面上に表示することができる。したがって、ユーザは各記録媒体を容易に区別することができる。
【００３３】
請求項９に記載の発明によれば、固有情報が表示手段の表示画面上に表示されている間に、又は固有情報が表示手段の表示画面上に表示されるより時間的に前に、対象記録媒体を排出することができる。したがって、ユーザは表示されている固有情報を見ながら、対象記録媒体に固有情報を記入することが可能となる。
【００３４】
請求項１０に記載の発明によれば、固有情報を印刷するか否かの指示入力を促す誘導案内情報を表示手段の表示画面上に表示し、指示入力に基づいて、固有情報を印刷手段により印刷するので、ユーザの希望に応じて固有情報を印刷することができる。
【００３５】
請求項１１に記載の発明によれば、対象記録媒体に対応する固有情報を生成し、生成された固有情報を印刷手段により印刷することができる。したがって、ユーザは各記録媒体を容易に区別することができる。
【００３６】
請求項１２に記載の発明によれば、対象記録媒体に対応する固有情報を生成し、生成された固有情報を少なくとも画像情報を含む特定記録情報とともに対象記録媒体に記録し、生成された固有情報を印刷手段により印刷することができる。したがって、ユーザは各記録媒体を容易に区別することができる。
【００３７】
請求項１３に記載の発明によれば、対象記録媒体に予め記録されている固有情報を取得し、少なくとも画像情報を含む特定記録情報を対象記録媒体に記録し、取得された固有情報を印刷手段により印刷することができる。したがって、ユーザは各記録媒体を容易に区別することができる。
【００３８】
請求項１４に記載の発明によれば、対象記録媒体に予め記録されている固有情報及び少なくとも画像情報を含む特定記録情報を取得し、取得された固有情報を印刷手段により印刷することができる。したがって、ユーザは各記録媒体を容易に区別することができる。
【００３９】
請求項１５に記載の発明によれば、固有情報と、特定記録情報の中の代表画像情報と、を予め定められた位置にレイアウトして印刷することができる。
【００４０】
請求項１６に記載の発明によれば、対象記録媒体の印刷面又はインデックスプリントに固有情報を印刷することができる。
【００４１】
請求項１７に記載の発明によれば、固有情報として、対象記録媒体固有のＩＤ番号、対象記録媒体に記録される特定記録情報の日付情報、又は、対象記録媒体のタイトル情報を表示又は印刷することができる。
【発明を実施するための最良の形態】
【００４２】
［第１の実施の形態］
以下、図面を参照して、本発明の第１の実施の形態を説明する。ただし、図示例に限定されるものではない。
図１に、第１の実施の形態における情報記録システムとしてのデータ記録装置１０の機能的構成を示す。
図１に示すように、データ記録装置１０は、ＣＰＵ１０１、操作部１０２、表示部１０３、データ入力手段１０４、メディア挿入部１０５、通信手段１０６、インクジェットプリンタ１０７、ＲＯＭ１０８、ＲＡＭ１０９、記憶部１１０、データ取得手段１１１、記録媒体挿入部１１２、データ記録手段１１３等を備えて構成され、各部はバス１１４により接続されている。なお、各部を独立した装置とし、ケーブルやネットワークによって接続されて構成されることとしてもよい。
【００４３】
データ記録装置１０としては、パソコン、ＤＶＤレコーダ、ＨＤＤレコーダ、ホームサーバー、ゲーム機、ポータブルライター、キオスク（無人端末）や店頭端末、ＨＤＤナビゲーションシステム等が挙げられる。
【００４４】
また、データ記録装置１０において、データが記録される対象記録媒体として、ディスク型記録媒体３０（以下、ディスク３０という。）を用いる。ディスク３０として、ＣＤ−Ｒ、ＤＶＤ−Ｒ、ブルーレイディスク等が挙げられる。
【００４５】
ＣＰＵ１０１は、操作部１０２から入力される各種指示に従って、ＲＯＭ１０８に記録されているデータ記録装置１０に対応する各種プログラムの中から指定されたプログラムをＲＡＭ１０９のワークエリアに展開し、上記プログラムとの協働によって各種処理を実行し、その処理結果をＲＡＭ１０９の所定の領域に格納するとともに、表示部１０３に表示させる。
【００４６】
具体的に、ＣＰＵ１０１は、ディスク３０に対応する固有情報を生成する。固有情報は、ディスク固有のＩＤ番号、ディスク３０に記録される画像情報（以下、画像データという。）の日付情報、又は、ディスク３０のタイトルを含む。固有情報は、ディスク３０毎に互いに重複しないようにユニークに構成されていることが好ましい。
【００４７】
また、ＤＣＦ（Design rule for Camera File system）形式、ＤＰＯＦ（Digital Print Order Format）形式、ＥＸＩＦ（Exchangeable Image File Format）形式等のファイルから、日付情報（ファイル作成日時、撮影日時）やファイル名、ユーザに関する情報、ファイルを作成したデジタルカメラに関する情報等を取得し、これらの情報の中からディスク３０の固有情報を生成することとしてもよい。
【００４８】
操作部１０２は、数字ボタン、文字ボタン、選択ボタン、各種機能ボタン等を備え、各ボタン操作による押下信号をＣＰＵ１０１に出力する。なお、操作部１０２は、表示部１０３と一体となったタッチパネルにより構成されることとしてもよい。
【００４９】
表示部１０３は、ＬＣＤ（Liquid Crystal Display）パネル等により構成され、ＣＰＵ１０１から入力される表示データに基づいて画面表示を行う。
【００５０】
データ入力手段１０４は、ＣＰＵ１０１の制御に従って、メディア挿入部１０５に挿入されたメディア２０に記録された画像データを読み込み、ＣＰＵ１０１に出力する。メディア２０としては、スマートメディア、コンパクトフラッシュ（登録商標）、メモリースティック（登録商標）、ＳＤメモリーカード、マルチメディアカード等が用いられる。
【００５１】
通信手段１０６は、モデム又はターミナルアダプタ等によって構成され、ＣＰＵ１０１から入力される指示に従って、外部機器とデータの送受信を行う。また、無線信号の送受信を行うアンテナを備え、無線でデータの送受信を行うこととしてもよい。
【００５２】
インクジェットプリンタ１０７は、ＣＰＵ１０１からの印刷命令に基づいて、インクジェット方式により、画像データや固有情報等を記録紙やディスク３０に印刷する。
【００５３】
ＲＯＭ１０８は、不揮発性の半導体メモリで構成される。ＲＯＭ１０８は、ＣＰＵ１０１により実行されるデータ記録装置用の各種アプリケーションプログラム等を記憶する。
【００５４】
ＲＡＭ１０９は、書き換え可能な半導体素子で構成される。ＲＡＭ１０９は、データが一時的に保存される記憶媒体であり、ＣＰＵ１０１が実行するためのプログラムを展開するためのプログラムエリア、操作部１０２から入力されるデータやＣＰＵ１０１による各種処理結果等を保存するためのデータエリア、等が形成される。
【００５５】
記憶部１１０は、ＨＤＤを備えて構成され、データ入力手段１０４によりメディア２０から読み取られた画像データ、データ取得手段１１１によりディスク３０から取得された画像データや固有情報、又は生成された固有情報を記憶する。また、記憶部１１０は、インクジェットプリンタ１０７により、固有情報や後述する代表画像が印刷される際に各々がレイアウトされる位置情報を予め記憶している。
【００５６】
データ取得手段１１１は、記録媒体挿入部１１２に挿入されたディスク３０から画像データや固有情報等のデータを取得する。
【００５７】
ディスク３０には、パソコンやＤＶＤプレーヤー、ゲーム機等に画像データを再生させるための画像再生プログラムが予め記録されている。画像再生プログラムには、静止画の画像データを表示したり、動画の画像データを再生したり、これらの画像データを連続して順次表示し、スライドショーとして再生したり、画像データの再生時に音楽データを出力したりする機能が含まれる。また、画像データに色・濃度・彩度補正、画像回転、トリミング等の加工を施す画像加工プログラムや、画像データを編集する画像編集プログラム等が記録されていることとしてもよい。すなわち、ディスク３０に画像データを書き込むことにより、電子アルバムを作成することができる。
【００５８】
データ記録手段１１３は、ＣＰＵ１０１の制御に従って、記録媒体挿入部１１２に挿入されたディスク３０に、画像データ等の特定記録情報、固有情報等のデータを記録する。
【００５９】
次に、データ記録装置１０における動作を説明する。
図２は、データ記録装置１０において実行される第１の固有情報表示処理を示すフローチャートである。第１の固有情報表示処理は、ＣＰＵ１０１と、ＲＯＭ１０８に格納されている第１の固有情報表示プログラムとの協働により実行される。以下、各ステップの処理の主体は、特に言及する場合を除き、ＣＰＵ１０１である。
【００６０】
まず、プログラムが起動され（ステップＳ１）、記録媒体挿入部１１２にディスク３０が挿入されているか否かが判断される（ステップＳ２）。記録媒体挿入部１１２にディスク３０が挿入されていない場合には（ステップＳ２；ＮＯ）、記録媒体挿入部１１２にディスク３０を挿入するよう指示する案内が表示部１０３に表示される。
【００６１】
記録媒体挿入部１１２にディスク３０が挿入されている場合には（ステップＳ２；ＹＥＳ）、データ取得手段１１１により、ディスク３０に固有情報が記録されているか否かが判断される（ステップＳ３）。ディスク３０に固有情報が記録されている場合には（ステップＳ３；ＹＥＳ）、固有情報が記憶部１１０に記憶される。
【００６２】
ディスク３０に固有情報が記録されていない場合には（ステップＳ３；ＮＯ）、ディスク３０に対応する固有情報が生成され（ステップＳ４）、記憶部１１０に記憶される。固有情報は、ディスク固有のＩＤ番号、ディスク３０に記録される画像データの日付情報、操作部１０２から入力されたディスク３０のタイトルを含むこととしてもよい。そして、データ記録手段１１３により、ディスク３０に固有情報が記録される（ステップＳ５）。
【００６３】
プログラム終了時に固有情報が表示されるよう設定されている場合には、プログラム終了動作が行われた後（ステップＳ６）、表示部１０３の表示画面上にディスク３０に対応する固有情報の表示が開始される（ステップＳ７）。図３に、表示部１０３におけるディスク３０のＩＤ番号の表示例を示す。図３に示すように、ディスク３０のＩＤ番号とともに、このＩＤ番号をディスク３０のＩＤ番号欄に記入することを促す案内が表示部１０３に表示される。
【００６４】
そして、表示部１０３の表示画面上にディスク３０の固有情報が表示された状態で、記録媒体挿入部１１２からディスク３０が排出される（ステップＳ８）。ユーザは、ディスク３０を取り出し、ディスク３０のＩＤ番号等の固有情報をディスク３０の表面に記入する。ユーザは、固有情報をディスク３０の表面に記入した後、操作部１０２を操作することにより、表示部１０３の表示画面上に表示されている「終了する」ボタン４０を選択する。ここで、「終了する」ボタン４０が選択されたか否かが判断され、「終了する」ボタン４０が選択された場合には（ステップＳ９；ＹＥＳ）、表示部１０３の表示画面上に表示されている固有情報の表示が終了する（ステップＳ１０）。
【００６５】
なお、固有情報を表示するタイミングをプログラム終了時に限定しない場合には、ステップＳ６は行わないものとする。
以上で、第１の固有情報表示処理が終了する。
【００６６】
第１の実施の形態におけるデータ記録装置１０によれば、ディスク３０に固有情報が記録されていない場合に、ディスク３０に対応する固有情報を生成し、生成された固有情報を表示部１０３に表示することができる。また、ディスク３０に固有情報が記録されている場合には、ディスク３０から取得された固有情報を表示部１０３に表示することができる。したがって、ユーザは表示部１０３の表示画面上に表示されている固有情報を見ながら、ディスク３０に固有情報を記入することが可能となり、各ディスク３０を容易に区別することができる。
【００６７】
［第２の実施の形態］
次に、本発明を適用した第２の実施の形態について説明する。
第２の実施の形態におけるデータ記録装置は、第１の実施の形態に示したデータ記録装置１０と同様の構成であるので、同一の構成部分については同一の符号を付し、図示及び説明を省略する。以下、第２の実施の形態に特徴的な処理について説明する。
【００６８】
図４は、第２の実施の形態のデータ記録装置において実行される第２の固有情報表示処理を示すフローチャートである。第２の固有情報表示処理は、ＣＰＵ１０１と、ＲＯＭ１０８に格納されている第２の固有情報表示プログラムとの協働により実行される。以下、各ステップの処理の主体は、特に言及する場合を除き、ＣＰＵ１０１である。
【００６９】
まず、プログラムが起動され（ステップＳ１１）、データ入力手段１０４により、メディア挿入部１０５に挿入されたメディア２０から、ディスク３０に書き込むための画像データがロードされ、記憶部１１０に記憶される（ステップＳ１２）。
【００７０】
ここで、例えば、図５に示すような、記録媒体挿入部１１２にディスク３０を挿入するよう指示する案内が表示部１０３に表示される。書き込み開始ボタン４１を選択することにより、以下の処理が行われる。
【００７１】
記録媒体挿入部１１２にディスク３０が挿入されているか否かが判断され（ステップＳ１３）、記録媒体挿入部１１２にディスク３０が挿入されている場合には（ステップＳ１３；ＹＥＳ）、データ取得手段１１１により、ディスク３０に固有情報が記録されているか否かが判断される（ステップＳ１４）。ディスク３０に固有情報が記録されている場合には（ステップＳ１４；ＹＥＳ）、固有情報が記憶部１１０に記憶される。
【００７２】
ディスク３０に固有情報が記録されていない場合には（ステップＳ１４；ＮＯ）、ディスク３０に対応する固有情報が生成され（ステップＳ１５）、記憶部１１０に記憶される。そして、データ記録手段１１３により、ディスク３０に固有情報が記録される（ステップＳ１６）。
【００７３】
次に、データ記録手段１１３により、ステップＳ１２においてロードされた画像データがディスク３０に記録される（ステップＳ１７）。
【００７４】
プログラム終了時に固有情報が表示されるよう設定されている場合には、プログラム終了動作が行われた後（ステップＳ１８）、図３に示すように、表示部１０３の表示画面上にディスク３０に対応する固有情報の表示が開始される（ステップＳ１９）。
【００７５】
そして、表示部１０３の表示画面上にディスク３０の固有情報が表示された状態で、記録媒体挿入部１１２からディスク３０が排出される（ステップＳ２０）。ユーザは、ディスク３０を取り出し、ディスク３０のＩＤ番号等の固有情報をディスク３０の表面に記入する。ユーザは、固有情報をディスク３０の表面に記入した後、操作部１０２を操作することにより、表示部１０３の表示画面上に表示されている「終了する」ボタン４０を選択する。ここで、「終了する」ボタン４０が選択されたか否かが判断され、「終了する」ボタン４０が選択された場合には（ステップＳ２１；ＹＥＳ）、表示部１０３の表示画面上に表示されている固有情報の表示が終了する（ステップＳ２２）。
【００７６】
なお、固有情報を表示するタイミングをプログラム終了時に限定しない場合には、ステップＳ１８は行わないものとする。
以上で、第２の固有情報表示処理が終了する。
【００７７】
第２の実施の形態におけるデータ記録装置によれば、ディスク３０に固有情報が記録されていない場合に、ディスク３０に対応する固有情報を生成し、生成された固有情報とメディア２０からロードされた画像データとをディスク３０に記録するとともに、表示部１０３に固有情報を表示することができる。また、ディスク３０に固有情報が記録されている場合には、ディスク３０から固有情報を取得し、メディア２０からロードされた画像データをディスク３０に記録し、取得された固有情報を表示部１０３に表示することができる。したがって、ユーザは表示部１０３の表示画面上に表示されている固有情報を見ながら、ディスク３０に固有情報を記入することが可能となり、各ディスク３０を容易に区別することができる。
【００７８】
なお、第２の実施の形態においては、メディア２０からロードされた画像データをディスク３０に記録することとしたが、通信手段１０６により受信されたデータをディスク３０に記録することとしてもよい。また、ディスク３０に記録する特定記録情報は、画像データに限らず、音楽データや音声データを含むこととしてもよい。
【００７９】
［第３の実施の形態］
次に、本発明を適用した第３の実施の形態について説明する。
第３の実施の形態におけるデータ記録装置は、第１の実施の形態に示したデータ記録装置１０と同様の構成であるので、同一の構成部分については同一の符号を付し、図示及び説明を省略する。以下、第３の実施の形態に特徴的な処理について説明する。
【００８０】
図６は、第３の実施の形態のデータ記録装置において実行される第３の固有情報表示処理を示すフローチャートである。第３の固有情報表示処理は、ＣＰＵ１０１と、ＲＯＭ１０８に格納されている第３の固有情報表示プログラムとの協働により実行される。以下、各ステップの処理の主体は、特に言及する場合を除き、ＣＰＵ１０１である。
【００８１】
まず、プログラムが起動され（ステップＳ３１）、記録媒体挿入部１１２にディスク３０が挿入されているか否かが判断される（ステップＳ３２）。記録媒体挿入部１１２にディスク３０が挿入されていない場合には（ステップＳ３２；ＮＯ）、記録媒体挿入部１１２にディスク３０を挿入するよう指示する案内が表示部１０３に表示される。
【００８２】
記録媒体挿入部１１２にディスク３０が挿入されている場合には（ステップＳ３２；ＹＥＳ）、データ取得手段１１１により、ディスク３０に固有情報が記録されているか否かが判断される（ステップＳ３３）。ディスク３０に固有情報が記録されている場合には（ステップＳ３３；ＹＥＳ）、固有情報が記憶部１１０に記憶される。
【００８３】
ディスク３０に固有情報が記録されていない場合には（ステップＳ３３；ＮＯ）、ディスク３０に対応する固有情報が生成され（ステップＳ３４）、記憶部１１０に記憶される。そして、データ記録手段１１３により、ディスク３０に固有情報が記録される（ステップＳ３５）。
【００８４】
次に、データ取得手段１１１により、ディスク３０内に記録されている画像データが取得され、記憶部１１０に記憶される（ステップＳ３６）。
【００８５】
プログラム終了時に固有情報が表示されるよう設定されている場合には、プログラム終了動作が行われた後（ステップＳ３７）、図３に示すように、表示部１０３の表示画面上にディスク３０に対応する固有情報の表示が開始される（ステップＳ３８）。
【００８６】
そして、表示部１０３の表示画面上にディスク３０の固有情報が表示された状態で、記録媒体挿入部１１２からディスク３０が排出される（ステップＳ３９）。ユーザは、ディスク３０を取り出し、ディスク３０のＩＤ番号等の固有情報をディスク３０の表面に記入する。ユーザは、固有情報をディスク３０の表面に記入した後、操作部１０２を操作することにより、表示部１０３の表示画面上に表示されている「終了する」ボタン４０を選択する。ここで、「終了する」ボタン４０が選択されたか否かが判断され、「終了する」ボタン４０が選択された場合には（ステップＳ４０；ＹＥＳ）、表示部１０３の表示画面上に表示されている固有情報の表示が終了する（ステップＳ４１）。
【００８７】
なお、固有情報を表示するタイミングをプログラム終了時に限定しない場合には、ステップＳ３７は行わないものとする。
以上で、第３の固有情報表示処理が終了する。
【００８８】
第３の実施の形態におけるデータ記録装置によれば、予め固有情報及び画像データが記録されているディスク３０から固有情報及び画像データを取得し、取得された固有情報を表示部１０３に表示することができる。ディスク３０に固有情報が記録されていない場合には、固有情報を生成して、ディスク３０から画像データを取得し、生成された固有情報を表示部１０３に表示することができる。したがって、ユーザは表示部１０３の表示画面上に表示されている固有情報を見ながら、ディスク３０に固有情報を記入することが可能となり、各ディスク３０を容易に区別することができる。
なお、ディスク３０から取得する特定記録情報は、画像データに限らず、音楽データや音声データを含むこととしてもよい。
【００８９】
第１〜第３の実施の形態では、固有情報が表示部１０３の表示画面上に表示されている間にディスク３０を排出することとしたが、固有情報が表示部１０３の表示画面上に表示されるより時間的に前にディスク３０を排出することとしてもよい。いずれにせよ、ユーザがディスク３０を取り出し、ディスク３０に固有情報を記入可能な状態で、固有情報が表示部１０３の表示画面上に表示されていればよい。
【００９０】
また、第１〜第３の実施の形態では、ユーザが表示部１０３の表示画面上に表示されている「終了する」ボタン４０を選択した場合に、固有情報の表示を終了することとしたが、予め定められた時間だけ表示部１０３の表示画面上に固有情報を表示することとしてもよい。ただし、ユーザが固有情報をディスク３０の表面に記入する前に表示が終了してしまうことを回避するために、表示部１０３の表示画面上に「固有情報の表示を終了します。よろしいですか？」等と表示し、ユーザの意向を確認することが望ましい。
【００９１】
［第４の実施の形態］
次に、本発明を適用した第４の実施の形態について説明する。
第４の実施の形態におけるデータ記録装置は、第１の実施の形態に示したデータ記録装置１０と同様の構成であるので、同一の構成部分については同一の符号を付し、図示及び説明を省略する。以下、第４の実施の形態に特徴的な処理について説明する。
【００９２】
図７は、第４の実施の形態のデータ記録装置において実行される第１の固有情報印刷処理を示すフローチャートである。第１の固有情報印刷処理は、ＣＰＵ１０１と、ＲＯＭ１０８に格納されている第１の固有情報印刷プログラムとの協働により実行される。以下、各ステップの処理の主体は、特に言及する場合を除き、ＣＰＵ１０１である。
【００９３】
まず、プログラムが起動され（ステップＳ５１）、記録媒体挿入部１１２にディスク３０が挿入されているか否かが判断される（ステップＳ５２）。記録媒体挿入部１１２にディスク３０が挿入されていない場合には（ステップＳ５２；ＮＯ）、記録媒体挿入部１１２にディスク３０を挿入するよう指示する案内が表示部１０３に表示される。
【００９４】
記録媒体挿入部１１２にディスク３０が挿入されている場合には（ステップＳ５２；ＹＥＳ）、データ取得手段１１１により、ディスク３０に固有情報が記録されているか否かが判断される（ステップＳ５３）。ディスク３０に固有情報が記録されている場合には（ステップＳ５３；ＹＥＳ）、固有情報が記憶部１１０に記憶される。
【００９５】
ディスク３０に固有情報が記録されていない場合には（ステップＳ５３；ＮＯ）、ディスク３０に対応する固有情報が生成され（ステップＳ５４）、記憶部１１０に記憶される。そして、データ記録手段１１３により、ディスク３０に固有情報が記録される（ステップＳ５５）。
【００９６】
プログラム終了時に固有情報が印刷されるよう設定されている場合には、プログラム終了動作が行われた後（ステップＳ５６）、インクジェットプリンタ１０７により、ディスク３０に対応する固有情報がディスク３０の印刷面に印刷される（ステップＳ５７）。なお、固有情報を印刷するタイミングをプログラム終了時に限定しない場合には、ステップＳ５６は行わないものとする。
以上で、第１の固有情報印刷処理が終了する。
【００９７】
第４の実施の形態におけるデータ記録装置によれば、ディスク３０に固有情報が記録されていない場合に、ディスク３０に対応する固有情報を生成し、生成された固有情報をディスク３０の印刷面に印刷することができる。また、ディスク３０に固有情報が記録されている場合には、ディスク３０から取得された固有情報を印刷することができる。したがって、ユーザは各記録媒体を容易に区別することができる。
【００９８】
［第５の実施の形態］
次に、本発明を適用した第５の実施の形態について説明する。
第５の実施の形態におけるデータ記録装置は、第１の実施の形態に示したデータ記録装置１０と同様の構成であるので、同一の構成部分については同一の符号を付し、図示及び説明を省略する。以下、第５の実施の形態に特徴的な処理について説明する。
【００９９】
図８は、第５の実施の形態のデータ記録装置において実行される第２の固有情報印刷処理を示すフローチャートである。第２の固有情報印刷処理は、ＣＰＵ１０１と、ＲＯＭ１０８に格納されている第２の固有情報印刷プログラムとの協働により実行される。以下、各ステップの処理の主体は、特に言及する場合を除き、ＣＰＵ１０１である。
【０１００】
まず、プログラムが起動され（ステップＳ６１）、データ入力手段１０４により、メディア挿入部１０５に挿入されたメディア２０から、ディスク３０に書き込むための画像データがロードされ、記憶部１１０に記憶される（ステップＳ６２）。
【０１０１】
次に、記録媒体挿入部１１２にディスク３０が挿入されているか否かが判断され（ステップＳ６３）、記録媒体挿入部１１２にディスク３０が挿入されていない場合には（ステップＳ６３；ＮＯ）、記録媒体挿入部１１２にディスク３０を挿入するよう指示する案内が表示部１０３に表示される。
【０１０２】
記録媒体挿入部１１２にディスク３０が挿入されている場合には（ステップＳ６３；ＹＥＳ）、データ取得手段１１１により、ディスク３０に固有情報が記録されているか否かが判断される（ステップＳ６４）。ディスク３０に固有情報が記録されている場合には（ステップＳ６４；ＹＥＳ）、固有情報が記憶部１１０に記憶される。
【０１０３】
ディスク３０に固有情報が記録されていない場合には（ステップＳ６４；ＮＯ）、ディスク３０に対応する固有情報が生成され（ステップＳ６５）、記憶部１１０に記憶される。そして、データ記録手段１１３により、ディスク３０に固有情報が記録される（ステップＳ６６）。
【０１０４】
次に、データ記録手段１１３により、ステップＳ６２においてロードされた画像データがディスク３０に記録される（ステップＳ６７）。
【０１０５】
プログラム終了時に固有情報が印刷されるよう設定されている場合には、プログラム終了動作が行われた後（ステップＳ６８）、表示部１０３にディスク３０に対応する固有情報と、固有情報を印刷するか否かの指示を操作部１０２から入力するよう促す案内とが表示される。操作部１０２からの入力により固有情報の印刷が指示された場合には（ステップＳ６９；ＹＥＳ）、固有情報の印刷命令がインクジェットプリンタ１０７に出力される。そして、印刷命令に基づいて、インクジェットプリンタ１０７により、ディスク３０に対応する固有情報がディスク３０の印刷面又はインデックスプリントに印刷される（ステップＳ７０）。なお、固有情報を印刷するタイミングをプログラム終了時に限定しない場合には、ステップＳ６８は行わないものとする。
【０１０６】
図９に、印刷を指示する際に表示部１０３に表示される表示画面の例を示す。図９（ａ）に示すように、表示部１０３にディスク３０のＩＤ番号が表示される。ここで、操作部１０２を操作することにより、「いますぐラベル印刷する」ボタン４２を選択すると、図９（ｂ）に示すように、タイトル及び日付を設定する画面が表示される。タイトル及び日付を操作部１０２から入力することにより、タイトル及び日付が設定される。ディスク３０上にディスク３０のタイトル、日付、ＩＤ番号及び代表画像が予め定められた位置にレイアウトされて、表示部１０３に表示される。代表画像は、ディスク３０に記録される画像データファイルの作成日時を記録したタイムスタンプを参照して一番新しい画像がデフォルト表示されることとしてもよいし、手動で選択可能としてもよい。また、日付に関しては、ディスク３０に記録される画像データの撮影日に基づいて、自動的に設定されることとしてもよい。
【０１０７】
ディスク３０をインクジェットプリンタ１０７にセットし、印刷開始ボタン４３を選択すると、ディスク３０にタイトル、日付、ＩＤ番号及び代表画像が印刷される。図１０に、ラベル印刷されたディスク３０の一例を示す。また、図１１に示すように、インデックスプリントにタイトルやＩＤ番号等の固有情報を印刷してもよい。図１１は、ディスク３０のジャケットサイズのプリントとして、ディスク３０に記録される画像データのサムネイル画像、ディスク３０のタイトル、ディスク３０のＩＤ番号、ＩＤ番号をバーコード化したものが印刷された例である。
以上で、第２の固有情報印刷処理が終了する。
【０１０８】
第５の実施の形態におけるデータ記録装置によれば、ディスク３０に固有情報が記録されていない場合に、ディスク３０に対応する固有情報を生成し、生成された固有情報とメディア２０からロードされた画像データとをディスク３０に記録するとともに、固有情報を印刷することができる。また、ディスク３０に固有情報が記録されている場合には、ディスク３０から固有情報を取得し、メディア２０からロードされた画像データをディスク３０に記録し、取得された固有情報を印刷することができる。したがって、ユーザは各ディスク３０を容易に区別することができる。
【０１０９】
また、操作部１０２から入力された固有情報を印刷する旨の指示に基づいて、固有情報を印刷するので、ユーザの希望に応じて固有情報を印刷することができる。
【０１１０】
なお、第５の実施の形態においては、メディア２０からロードされた画像データをディスク３０に記録することとしたが、通信手段１０６により受信されたデータをディスク３０に記録することとしてもよい。また、ディスク３０に記録する特定記録情報は、画像データに限らず、音楽データや音声データを含むこととしてもよい。
【０１１１】
［第６の実施の形態］
次に、本発明を適用した第６の実施の形態について説明する。
第６の実施の形態におけるデータ記録装置は、第１の実施の形態に示したデータ記録装置１０と同様の構成であるので、同一の構成部分については同一の符号を付し、図示及び説明を省略する。以下、第６の実施の形態に特徴的な処理について説明する。
【０１１２】
図１２は、第６の実施の形態のデータ記録装置において実行される第３の固有情報印刷処理を示すフローチャートである。第３の固有情報印刷処理は、ＣＰＵ１０１と、ＲＯＭ１０８に格納されている第３の固有情報印刷プログラムとの協働により実行される。以下、各ステップの処理の主体は、特に言及する場合を除き、ＣＰＵ１０１である。
【０１１３】
まず、プログラムが起動され（ステップＳ７１）、記録媒体挿入部１１２にディスク３０が挿入されているか否かが判断される（ステップＳ７２）。記録媒体挿入部１１２にディスク３０が挿入されていない場合には（ステップＳ７２；ＮＯ）、記録媒体挿入部１１２にディスク３０を挿入するよう指示する案内が表示部１０３に表示される。
【０１１４】
記録媒体挿入部１１２にディスク３０が挿入されている場合には（ステップＳ７２；ＹＥＳ）、データ取得手段１１１により、ディスク３０に固有情報が記録されているか否かが判断される（ステップＳ７３）。ディスク３０に固有情報が記録されている場合には（ステップＳ７３；ＹＥＳ）、固有情報が記憶部１１０に記憶される。
【０１１５】
ディスク３０に固有情報が記録されていない場合には（ステップＳ７３；ＮＯ）、ディスク３０に対応する固有情報が生成され（ステップＳ７４）、記憶部１１０に記憶される。そして、データ記録手段１１３により、ディスク３０に固有情報が記録される（ステップＳ７５）。
【０１１６】
次に、データ取得手段１１１により、ディスク３０内に記録されている画像データが取得され、記憶部１１０に記憶される（ステップＳ７６）。
【０１１７】
プログラム終了時に固有情報が印刷されるよう設定されている場合には、プログラム終了動作が行われた後（ステップＳ７７）、インクジェットプリンタ１０７により、ディスク３０に対応する固有情報がディスク３０の印刷面又はインデックスプリントに印刷される（ステップＳ７８）。なお、固有情報を印刷するタイミングをプログラム終了時に限定しない場合には、ステップＳ７７は行わないものとする。
以上で、第３の固有情報印刷処理が終了する。
【０１１８】
第６の実施の形態におけるデータ記録装置によれば、予め固有情報及び画像データが記録されているディスク３０から固有情報及び画像データを取得し、取得された固有情報を印刷することができる。ディスク３０に固有情報が記録されていない場合には、固有情報を生成して、ディスク３０から画像データを取得し、生成された固有情報を印刷することができる。したがって、ユーザは各ディスク３０を容易に区別することができる。
なお、ディスク３０から取得する特定記録情報は、画像データに限らず、音楽データや音声データを含むこととしてもよい。
【０１１９】
なお、上記各実施の形態における記述は、本発明に係る好適な固有情報表示プログラム又は固有情報印刷プログラムの例であり、これに限定されるものではない。これらのプログラムを実行するデータ記録装置を構成する各部の細部構成及び細部動作に関しても本発明の趣旨を逸脱することのない範囲で適宜変更可能である。
【図面の簡単な説明】
【０１２０】
【図１】本発明の第１の実施の形態におけるデータ記録装置１０の機能的構成を示すブロック図である。
【図２】第１の実施の形態のデータ記録装置１０において実行される第１の固有情報表示処理を示すフローチャートである。
【図３】ディスク３０のＩＤ番号を表示する際の表示部１０３の表示例である。
【図４】第２の実施の形態のデータ記録装置において実行される第２の固有情報表示処理を示すフローチャートである。
【図５】データ記録装置においてデータの書き込みを行う際の表示部１０３の表示例である。
【図６】第３の実施の形態のデータ記録装置において実行される第３の固有情報表示処理を示すフローチャートである。
【図７】第４の実施の形態のデータ記録装置において実行される第１の固有情報印刷処理を示すフローチャートである。
【図８】第５の実施の形態のデータ記録装置において実行される第２の固有情報印刷処理を示すフローチャートである。
【図９】印刷を指示する際の表示部１０３の表示例である。
【図１０】ラベル印刷されたディスク３０の一例ある。
【図１１】タイトルやＩＤ番号等の固有情報が印刷されたインデックスプリントの一例ある。
【図１２】第６の実施の形態のデータ記録装置において実行される第３の固有情報印刷処理を示すフローチャートである。
【符号の説明】
【０１２１】
１０  データ記録装置
１０１  ＣＰＵ
１０２  操作部
１０３  表示部
１０４  データ入力手段
１０５  メディア挿入部
１０６  通信手段
１０７  インクジェットプリンタ
１０８  ＲＯＭ
１０９  ＲＡＭ
１１０  記憶部
１１１  データ取得手段
１１２  記録媒体挿入部
１１３  データ記録手段
１１４  バス
２０  メディア
３０  ディスク
【図１】
2005203069.tif 000003
【図２】
2005203069.tif 000004
【図３】
2005203069.tif 000005
【図４】
2005203069.tif 000006
【図５】
2005203069.tif 000007
【図６】
2005203069.tif 000008
【図７】
2005203069.tif 000009
【図８】
2005203069.tif 000010
【図９】
2005203069.tif 000011
【図１０】
2005203069.tif 000012
【図１１】
2005203069.tif 000013
【図１２】
2005203069.tif 000014